(57)【要約】      （修正有）【課題】各部品のセット時や経時変化に伴う緩みをなくすことが可能で、動作も軽く、長期間安定した動作が保証され、組立も簡素化できる圧力調理器の蓋を提供する。【解決手段】圧力調理器の蓋は、操作機構が、固定操作ボタン及び固定解除操作ボタンと、その下方に位置するコの字状基台２０と、スライダー４，５と共に水平移動し、コの字状基台の垂直板の水平長溝に保持させた水平保持板３０と、コの字状基台の中央部に回動自在に枢着した回転板３５と、回転板の上方におけるスライダーの内端部上方における水平保持板の上方において、コの字状基台の垂直板間に揺動可能に設けたシーソー式揺動板とからなり、シーソー式揺動板の側部に垂設した板状部の弧状部分の係合穴と、水平保持板の水平長溝保持部とを係合させ、操作ボタンの操作により、スライダーを水平移動させ、蓋の固定及び解除を行う。【選択図】図１３
0003210825.tif 000002
【実用新案登録請求の範囲】
【請求項１】
容器本体の開口部を閉塞する蓋であって、
該蓋を容器本体に固定するために蓋の上面部において半径方向で、かつ相互に異方向に水平移動可能とした一対のスライダーの外端部に設けた一対の締め付け片と、
該一対の締め付け片は、内側に位置して蓋が容器本体に固定される固定位置と、外側に位置して蓋が容器本体から固定解除される固定解除位置とを移動可能とする操作機構とを備えてなる圧力調理器の蓋において、
前記操作機構は、前記蓋の上面部に設けた蓋カバーの中央部に、略同一上面で隣接して個別に埋設した押圧式の固定操作ボタン及び固定解除操作ボタンと、前記固定操作ボタン及び固定解除操作ボタンの下方に位置し、蓋の中央部正面に立設した底板と両側の垂直板とからなる縦断面がコの字状基台と、前記スライダーと共に水平移動し、前記コの字状基台の垂直板の水平長溝に保持させた水平保持板と、
前記コの字状基台の中央部に回動自在に枢着した回転板と、
前記回転板の上方における前記スライダーの内端部の上方における前記水平保持板の上方において、前記コの字状基台の垂直板間に揺動可能に設けたシーソー式揺動板と、
シーソー式揺動板を原位置に復帰するように設けたバネとからなり、
シーソー式揺動板の側部に垂設した板状部の弧状部分の係合穴と、前記水平保持板の水平長溝保持部とを係合させ、前記操作ボタンの操作により、スライダーを水平移動させ、蓋の固定及び解除を行う
ことを特徴とする圧力調理器の蓋。
【請求項２】
水平保持板は、コの字状基台における垂直板に設けられた水平の長溝に水平移動するように係合されている
ことを特徴とする請求項１に記載の圧力調理器の蓋。
【請求項３】
スライダーの楕円穴と回転板のネジ穴と水平保持板の長穴とを同時に枢着結合する結合ネジを有する
ことを特徴とする請求項１又は２に記載の圧力調理器の蓋。
【考案の詳細な説明】
【技術分野】
【０００１】
本考案は、圧力調理器の蓋に関する。
【背景技術】
【０００２】
従来より、下記特許文献１に示されるように、容器本体と、容器本体の開口部が閉塞可能な蓋体と、蓋体を容器本体に固定するための蓋体の半径方向に移動可能な一対の係止部材をもつ操作機構とを備えてなり、操作機構として、蓋体の中央部に歯車軸を回動自在に植設し、歯車軸にハンドルを設けてなる圧力調理器の蓋が知られている。
【０００３】
しかしながら、前記特許文献１の圧力調理器の蓋は、ハンドルを正逆いずれかに回動することにより、歯車軸のピニオンと、一対のスライダーに形成したラックとの噛合作用により、一対のスライダーの外端部に設けた締め付け片を容器本体に固定し、又は固定解除するものであるため、特に、ハンドルを固定位置まで完全に回動せず、途中で止まると、蓋の締め付け片が容器本体に対して半掛り（完全な係止状態でないこと）状態となり、事故の原因となるおそれがあった。
【０００４】
そのための改善策として、特許文献１では、ハンドルの回動範囲を固定位置と固定解除位置に規制する規制機構を設けているものの、構造が複雑であるばかりか、この規制機構によっても、利用者の不注意で上記の如く蓋の締め付け片が容器本体に対して半掛り状態となるおそれを払拭することができない。
【０００５】
さらに、特許文献１における前記ラック・ピニオン機構は、外部に突出したハンドルで作動させるものであるため、該ハンドルが蓋の摘みとしての働きがあるので、使用者が、締め付け片を開閉する意思がないにも拘わらず、蓋の摘みとして認識して誤って操作し、蓋が容器本体より固定解除されてしまうという安全上の問題があった。
【０００６】
そこで、本考案者は、上記の問題点を解決すべく、下記特許文献２に示される圧力調理器の蓋を考案した。当該圧力調理器の蓋における操作機構は、固定操作ボタン及び固定解除操作ボタンと、固定操作ボタン及び固定解除操作ボタンの下方に位置した縦断面がコの字状基台と、基台の中央部に枢着したピニオンと、その上方位置において基台の垂直板間に揺動可能に設けたシーソー式揺動板と、揺動板を原位置に復帰するバネと、揺動板の一側部に垂設した弧状ピニオンと、弧状ピニオン及びピニオンと噛合するラックを内端部に有する。外端部に締め付け片を有し、蓋の上面部において半径方向で、かつ水平方向に移動する第１スライダーと、ピニオンと噛合するラックを内端部に有すると共に、外端部に締め付け片を有し、蓋の上面部において半径方向で、かつ水平方向に移動する第２スライダーとから構成したものである。
【先行技術文献】
【特許文献】
【０００７】
【特許文献１】特開２００７−１９０１６８号公報
【特許文献２】実用新案登録第３１７２５１３号公報
【考案の概要】
【考案が解決しようとする課題】
【０００８】
しかしながら、上記特許文献２に示される圧力調理器の蓋は、ラックとピニオンとの組合せ機構であり、操作ボタンの上下移動を第１スライダーと第２スライダーとの水平移動に変換する機構であるため、各部品をセットする際の緩みや経時変化に伴う緩みが生じ、噛み合いに不具合が生じるおそれがあった。
【０００９】
そこで、本考案は、上記の課題を解決するために、ラックとピニオン機構(歯車式)でなく、各部品に長穴と軸を形成し、これらを組み合わせた操作機構を備えた圧力調理器の蓋を考案した。
【課題を解決するための手段】
【００１０】
本考案に係る請求項１の圧力調理器の蓋は、容器本体の開口部を閉塞する蓋であって、該蓋を容器本体に固定するために蓋の上面部において半径方向で、かつ相互に異方向に水平移動可能とした一対のスライダーの外端部に設けた一対の締め付け片と、該一対の締め付け片は、内側に位置して蓋が容器本体に固定される固定位置と、外側に位置して蓋が容器本体から固定解除される固定解除位置とを移動可能とする操作機構とを備えてなる圧力調理器の蓋において、前記操作機構は、前記蓋の上面部に設けた蓋カバーの中央部に、略同一上面で隣接して個別に埋設した押圧式の固定操作ボタン及び固定解除操作ボタンと、前記固定操作ボタン及び固定解除操作ボタンの下方に位置し、蓋の中央部正面に立設した底板と両側の垂直板とからなる縦断面がコの字状基台と、前記スライダーと共に水平移動し、前記コの字状基台の垂直板の水平長溝に保持させた水平保持板と、前記コの字状基台の中央部に回動自在に枢着した回転板と、前記回転板の上方における前記スライダーの内端部の上方における前記水平保持板の上方において、前記コの字状基台の垂直板間に揺動可能に設けたシーソー式揺動板と、シーソー式揺動板を原位置に復帰するように設けたバネとからなり、シーソー式揺動板の側部に垂設した板状部の弧状部分の係合穴と、前記水平保持板の水平長溝保持部とを係合させ、前記操作ボタンの操作により、スライダーを水平移動させ、蓋の固定及び解除を行うことを特徴とする。
【００１１】
また、本考案に係る請求項２の圧力調理器の蓋は、上記請求項１の構成に加えて、水平保持板は、コの字状基台における垂直板に設けられた水平の長溝に水平移動するように係合されていることを特徴とする。
【００１２】
さらに、本考案に係る請求項３の圧力調理器の蓋は、上記請求項１又は請求項２の構成に加えて、スライダーの楕円穴と回転板のネジ穴と水平保持板の長穴とを同時に枢着結合する結合ネジを有することを特徴とする。
【考案の効果】
【００１３】
本考案の圧力調理器の蓋は、各部品のセット時の緩みや経時変化に伴う緩みをなくすことが可能となり、また、動作も軽くなり、長期間安定した動作が保証され、組立も簡素化できる。
【図面の簡単な説明】
【００１４】
【図１】本考案に係る圧力調理器の蓋を圧力調理器の容器本体に適用した実施例１であって、締め付け片が固定位置にある状態の全体の斜視図である。
【図２】図１で示した圧力調理器の蓋から蓋カバーを省略して示した圧力調理器の蓋の概略斜視図である。
【図３】締め付け片が固定位置にある場合の概略斜視図である。
【図４】締め付け片が固定解除位置にある場合の概略斜視図である。
【図５】操作機構におけるコの字状基台を示す分解斜視図である。
【図６】操作機構におけるコの字状基台に回転板を取り付けた状態を示す分解斜視図である。
【図７】回転板の斜視図である。
【図８】操作機構におけるコの字状基台に回転板を取り付けた状態を示す分解平面図である。
【図９】スライダーと締め付け片の構造を示す平面図である。
【図１０】コの字状基台と回転板とスライダーとの関係構造を示す分解斜視図である。
【図１１】水平保持板を示す平面図である。
【図１２】コの字状基台に、回転板とスライダーと水平保持板とを組み込み、スライダーを近接させた状態を示す平面図である。
【図１３】コの字状基台に、回転板とスライダーと水平保持板とを組み込み、スライダーを離間させた状態を示す平面図である。
【図１４】シーソー式揺動板の斜視図である。
【図１５】シーソー式揺動板の別の角度から見た斜視図である。
【図１６】図１２の状態においてシーソー式揺動板を組み込もうとする状態を示す分解斜視図である。
【図１７】操作機構の一部を組み立てた状態を示す斜視図である。
【考案を実施するための形態】
【００１５】
次に本考案の好適な実施例を添付の図面に基づいて詳細に説明する。
【実施例１】
【００１６】
図１に示すように、この圧力調理器１は、有底で略円筒状の容器本体２と、この容器本体２の開口部（図示せず）を閉塞する蓋３とで構成されている。
【００１７】
容器本体２には、開口部の周縁に断面コの字状で環状の周縁部が形成されていると共に、外周側壁の直径位置に対向して一対の把手２ａ、２ａ（図１では他方の把手は図示されていない）がネジ止めや溶接等により突設されている。
【００１８】
蓋３は、円板状であって、その外周縁部には下向き鍔部３ａが垂下されており、この下向き鍔部３ａの内側に環状パッキン（図示せず）が嵌装され、この蓋３を容器本体２に被蓋するときに、容器本体２の環状周縁部に前記環状パッキンが圧接されて、容器本体２が気密に保持される。
【００１９】
蓋３の上面部の直径線上には、図２に示すように、半径方向で、かつ相互に異方向に水平移動可能とした一対のスライダー（第１スライダー４，第２スライダー５）が設けられている。そして、この一対のスライダー４，５の外端部には、一対の円弧状の締め付け片６，７が溶接などにより設けられている。そして、前記一対の締め付け片６，７は、一対のスライダー４，５を介して、図３に示すように、蓋３が容器本体２に固定される固定位置Ｌと、図４に示すように、蓋３が容器本体２から固定解除される固定解除位置Ｆとの間を移動する。また、一対の締め付け片６，７は、それぞれ容器本体２の周縁部及び蓋３の下向き鍔部３ａを抱き込み可能に形成されている。
【００２０】
前記一対の締め付け片６，７が、固定位置Ｌと固定解除位置Ｆとの間を移動可能とするのは操作機構１０が担っている。
【００２１】
前記操作機構１０は、主として押圧式の固定操作ボタン１１及び固定解除操作ボタン１２と、コの字状基台２０と、回転板３５と、スライダー４，５と、水平保持板３０と、シーソー式揺動板４０とからなる。
【００２２】
前記固定操作ボタン１１及び固定解除操作ボタン１２は、図１に示すように、前記蓋３の上面部と略同一上面で隣接して個別に埋設されているものであって、前記蓋３の上面部に設けた操作機構１０を被覆する蓋カバー３ｂの中央部に直径方向に楕円状の貫通穴３ｃを穿設し、この貫通穴３ｃには下方からネジ止め等により固定した図２に示す操作ボタン取付板３ｄが配され、当該操作ボタン取付板３ｄと前記貫通穴３ｃの上端部との空室に両操作ボタン１１，１２が上下動自在に嵌装されている。すなわち、固定操作ボタン１１と固定解除操作ボタン１２は、図２に示すように、同一形状のものを対称的に配置したものであり、両操作ボタン１１、１２は、１個の仮想楕円板の短軸中央部を切断した半割体を押ボタン部１１ａ、１２ａとするとともに、該押ボタン部１１ａ、１２ａの裏面には、後述するシーソー式揺動板４０の上面を押動するための小径の脚部１１ｂ、１２ｂが垂設され、この脚部１１ｂ、１２ｂにコイルバネが巻装されており、前記押ボタン部１１ａ、１２ａの側壁に突設した複数の係止片１１ｃ，１２ｃと蓋３の貫通穴３ｃの内周壁面の上部に形成した係止受部との係止により、押ボタン部１１ａ、１２ａの上面が蓋カバー３ｂと略同一上面（完全な同一上面に限らず実質的に同一視し得る場合も含む意味である。）となるように上方向に付勢されている。
【００２３】
押ボタン部１１ａの上面（表面）には、ＬＯＣＫ，ＣＬＯＳＥ、閉の文字等や絵文字等のいずれかを表記し、押ボタン部１２ａの上面（表面）にはＵＮＬＯＣＫ，ＯＰＥＮ、開等の文字や絵文字等のいずれかを表記して、使用者が一見しただけで操作し易く、操作ミスを防ぐようにしてある。
【００２４】
前記固定操作ボタン１１と固定解除操作ボタン１２とを設けた蓋カバー３ｂの中央部から左右の略直径範囲には、図１に示すように、ほぼ帯状の傾斜面を有する隆起部３ｇを形成し、この隆起部３ｇの両側壁を窪ませて人間の手指で把持できるつまみ部３ｈ、３ｈとしてある。これにより、特許文献１に示す如く回動式ハンドルを把持するものに比べて、把持し易い上に、安全性にも優れている。
【００２５】
前記コの字状基台２０は、図２に示すように、前記固定操作ボタン１１及び固定解除操作ボタン１２の下方に位置し、蓋３の中央部に立設されている。すなわち、当該コの字状基台２０は、図５に示すように、略四角形状の底板２１と、該底板２１の前後両端部に立上がらせた一対の垂直板２２、２３とからなり、図２に示す前記蓋３の上面の直径方向に形成された帯状の凹部３ｎの中央部に形成されている略四角形状の凹陥部に落し込んで、該底板２１の上面と蓋３の凹部３ｎの上面が同一面となるようにして、該底板２１を蓋３の上面に溶接等により固定される。当該コの字状基台２０には、前記底板２１中央に中心軸２１ａと三日月状の長溝２１ｂとが形成されている。前記垂直板２２，２３には、図５及び図６に示すように、それぞれの上部に保持穴２２ａ，２３ａが形成されており、下部には水平長溝２５，２６が形成されている。
【００２６】
前記回転板３５は、図７に示すように、中心穴３５ａとねじ穴３５ｂと円柱凸部３５ｃとを備え、図６及び図８に示すように、コの字状基台２０の中央部における中心軸２１ａに回転板３５の中心穴３５ａを嵌め込むことにより、回転板３５はコの字状基台２０に対して回動自在に枢着されている。
【００２７】
第１スライダー４及び第２スライダー５は、図９に示すように、略長方形状の板体よりなり、その内端側は一部を残して切欠いて先細部を有する同一形状のものを左右に対称的に配置したものであって、両スライダー４，５は、その内端部より外側に長穴４ａ、５ａが形成され、内端部に楕円穴４ｂ、５ｂが形成されている。前記長穴４ａ、５ａには、図２に示すように、蓋３の上面に固定されたガイドピン８、８が嵌挿されており、これにより両スライダー４，５が蓋３の上面部において相互に異方向に水平移動されるときに、一直線上に水平移動されるように案内すると共に、左右動の摺動範囲を規制している。なお、前記ガイドピンは、必ずしも蓋に設ける必要はなく、蓋カバーに設けてもよい。
【００２８】
また、第１スライダー４の外端部及び第２スライダー５の外端部には、図９に示すように、前述した締め付け片６，７が溶接などにより固定してある。
【００２９】
そして、図１０に示す第１スライダー４に形成した楕円穴４ｂは、図１２に示すように、前記回転板３５の円柱凸部３５ｃに回動自在に嵌合させ、第２スライダー５に形成した楕円穴５ｂは、図１１に示す前記水平保持板３０に形成した後述する長穴３３を貫通して回転板３５に形成したネジ穴３５ｂに螺合した結合ネジ５０の頭部突出部５１に、図１２に示すように、嵌合させる。結合ネジ５０の先端は前記コの字状基台２０の三日月状の長溝２１ｂの底部に達しないように構成しているので、前記水平保持板３０に形成した長穴３３と結合ネジ５０とは遊嵌状態で嵌合し、その結果、回転板３５の周方向に結合ネジ５０を回転させると、結合ネジ５０の先端が三日月状の長溝２１ｂの底部を移動しながら回転板３５が回転することになる。
【００３０】
前記水平保持板３０は、図１１に示すように、その両端において突出する水平長溝保持部３１，３２が形成されており、一方の端部側には前記長穴３３が形成されていて、水平保持板３０が水平移動するに伴って前記第２スライダー５が、図１２に示す状態から図１３に示す状態のように、水平移動する構成になっている。
【００３１】
前記シーソー式揺動板４０は、図１４及び図１５に示すように、その中央部が水平板状部４１であり、図１４に示すその左側と右側を傾斜面とし、スライダー４，５が外方側にスライドする方向に互いに対向して下傾する傾斜板状部４２，４３と前記水平板状部４１とを一体に形成し、その両側に垂設された下端が弧状をなす垂直板状部４４，４５とを備え、垂直板状部４４，４５の上部にはそれぞれ係止穴４０ａ，４０ｂが形成されており、下端の弧状部分にはそれぞれ下方が開放した係合穴４６，４７が形成されている。
【００３２】
そして、前記シーソー式揺動板４０は、図１２及び図１３に示す前記回転板３５の上に互いに対向するように重ねて係止された前記スライダー４，５の内端部の上方位置において、図１６に示すように、前記コの字状基台２０における保持穴２２ａ，２３ａとシーソー式揺動板４０の係止穴４０ａ，４０ｂとを合致させて係止軸４８を貫通させており、前記固定操作ボタン１１及び固定解除操作ボタン１２の押し下げ操作により、傾斜板状部４２，４３が押し下げられて、前記コの字状基台２０の垂直板２２，２３間においてシーソー式揺動板４０が揺動するようになっている。
【００３３】
また、当該シーソー式揺動板４０の下方には、スライダー内端部上方位置に前記水平保持板３０が配されており、当該水平保持板３０は、その水平長溝保持部３１，３２が前記コの字状基台２０の垂直板２２，２３のそれぞれに設けた水平長溝２５，２６に保持され、かつ、シーソー式揺動板４０の係合穴４６，４７に係合して、シーソー式揺動板４０が揺動することに合わせて水平長溝保持部３１，３２が水平状態を維持しながら同一方向に水平移動する。
【００３４】
符号４９は、シーソー式揺動板４０を原位置に復帰するように設けたバネであり、バネ４９の一端はコの字状基台２０に取り付けられており、他端はシーソー式揺動板４０の傾斜板状部４２に取り付けられている。このバネ４９のクリック作用により、シーソー式揺動板４０がシーソー動作し安定して反転保持される。そればかりでなく、このバネ４９は、前記第１スライダー４と第２スライダー５の水平移動により、その締め付け片６，７が固定位置にある状態と、固定解除位置にある状態とを安定して保持する役割も有している。
【００３５】
次に、本実施例１の作用について以下に説明する。
【００３６】
蓋３を容器本体２に固定する場合には、図１に示す固定操作ボタン１１を押し下げることにより、シーソー式揺動板４０の傾斜板状部４３が押されると共にシーソー式揺動板４０が揺動し、その揺動によりシーソー式揺動板４０の側部に垂設した垂直板状部４４，４５の弧状部分の係合穴４６，４７に係合している水平長溝保持部３１，３２と共に前記水平保持板３０が、図４及び図１３に示す状態から図３及び図１２に示す状態のように、水平移動すると共に結合ネジ５０が移動して第２スライダー５を水平移動させる。また、結合ネジ５０の移動に合わせて結合ネジ５０が螺合している回転板３５が時計回りに回転するに伴って回転板３５の円柱凸部３５ｃに楕円穴４ｂが嵌合している第１のスライダー４を水平移動させる。これにより、第１スライダー４の締め付け片６と第２スライダー５の締め付け片７とが内側に移動して容器本体２の上部開口縁部（図示せず）を係止し、蓋３が容器本体２に固定される。この固定位置の保持は、コの字状基台２０とシーソー式揺動板４０との間に掛架したバネ４９が担っている。なお、前記固定操作ボタン１１は、それに対する押動操作を停止すると、該固定操作ボタン１１に内蔵したコイルバネの弾発力により押ボタン１１ａが原位置まで上動する。
【００３７】
蓋３を容器本体２から固定解除する場合には、図１に示す固定解除操作ボタン１２を押し下げることにより、シーソー式揺動板４０の傾斜板状部４２が押されると共にシーソー式揺動板４０が揺動し、その揺動によりシーソー式揺動板４０の側部に垂設した垂直板状部４４，４５の弧状部分の係合穴４６，４７に係合している水平長溝保持部３１，３２と共に前記水平保持板３０が、図３及び図１２に示す状態から図４及び図１３に示す状態のように、水平移動すると共に結合ネジ５０が移動して第２のスライダー５０を水平移動させる。また、結合ネジ５０の移動に合わせて結合ネジ５０が螺合している回転板３５が反時計回りに回転するに伴って回転板３５の円柱凸部３５ｃに楕円穴４ｂが嵌合している第１のスライダー４を水平移動させる。これにより、第１スライダー４の締め付け片６と第２スライダー５の締め付け片７とが外側に移動して容器本体２の上部開口縁部（図示せず）との係止を解除し、蓋３による容器本体２への固定が解除される。この固定解除位置の保持は、コの字状基台２０とシーソー式揺動板４０との間に掛架したバネ４９が担っている。なお、前記固定解除操作ボタン１２は、それに対する押動操作を停止すると、該固定解除操作ボタン１２に内蔵したコイルバネの弾発力により押ボタン１２ａが原位置まで上動する。
【００３８】
以上のように、本実施例における操作機構１０は、図１７に示すシーソー式揺動板４０が係止軸４８を中心に左右に揺動することによって、シーソー式揺動板４０の係合穴４６，４７に係合している図１２及び図１３に示す水平保持板３０における水平長溝保持部３１，３２がコの字状基台２０の水平長溝２５，２６に沿って水平移動して結合ネジ５０が移動する。この結合ネジ５０が移動するのと同時に結合ネジ５０が移動することにより回転板３５が回転すると共に円柱凸部３５ｃが回転する。したがって、結合ネジ５０に係合している第２スライダー５と円柱凸部３５ｃに係合している第１スライダー４とが近接及び離間することにより、図３及び図４に示す第１及び第２のスライダー４，５にそれぞれ付設されている締め付け片６，７が移動することにより容器本体２に対する蓋３の開閉が行われることになる。
【００３９】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００４０】
１………圧力調理器  
２………容器本体
２ａ……把手
３………蓋
３ａ……下向き鍔部
３ｂ……蓋カバー
３ｄ……操作ボタン取付板
４………第１スライダー
４ａ……第１スライダーの長穴
４ｂ……第１スライダーの楕円穴
５………第２スライダー
５ａ……第２スライダーの長穴
５ｂ……第２スライダーの楕円穴
６………締め付け片
７………締め付け片
Ｌ………固定位置
Ｆ………固定解除位置
１０……操作機構
１１……固定操作ボタン
１１ａ…押ボタン部
１１ｂ…脚部
１１ｃ…係止片
１２……固定解除操作ボタン
１２ａ…押ボタン部
１２ｂ…脚部
１２ｃ…係止片
２０……コの字状基台
２１……底板
２１ａ…中心軸
２１ｂ…三日月状の長溝
２２……垂直板
２２ａ…保持穴
２３……垂直板
２３ａ…保持穴
２５……水平長溝
２６……水平長溝
３０……水平保持板
３１……水平長溝保持部
３２……水平長溝保持部
３３……長穴
３５……回転板
３５ａ…回転板の中心穴
３５ｂ…回転板のネジ穴
３５ｃ…円柱凸部
４０……シーソー式揺動板
４０ａ…係止穴
４０ｂ…係止穴
４１……水平板状部
４２……傾斜板状部
４３……傾斜板状部
４４……垂直板状部
４５……垂直板状部
４６……係合穴
４７……係合穴
４８……係止軸
４９……バネ
５０……結合ネジ
５１……結合ネジの頭部突出部
【図１】
0003210825.tif 000003
【図２】
0003210825.tif 000004
【図３】
0003210825.tif 000005
【図４】
0003210825.tif 000006
【図５】
0003210825.tif 000007
【図６】
0003210825.tif 000008
【図７】
0003210825.tif 000009
【図８】
0003210825.tif 000010
【図９】
0003210825.tif 000011
【図１０】
0003210825.tif 000012
【図１１】
0003210825.tif 000013
【図１２】
0003210825.tif 000014
【図１３】
0003210825.tif 000015
【図１４】
0003210825.tif 000016
【図１５】
0003210825.tif 000017
【図１６】
0003210825.tif 000018
【図１７】
0003210825.tif 000019